(57)【要約】      （修正有）【課題】油圧ジャッキ設置台の上面に油受け皿を設置しなくてもガイドレールの下端部から落下する潤滑油を受けることができるエレベータのガイドレールの油受け装置の提供。【解決手段】エレベータ昇降路の床面に油圧ジャッキ設置台３を形成してその略中央部に油圧ジャッキ５を設置すると共に、油圧ジャッキ設置台の側面に沿って該油圧ジャッキ設置台から上方に突出するようにガイドレール固定部材６０をエレベータ昇降路の床面に固定し、エレベータ籠の昇降をガイドするためのガイドレール６をその下端部が油圧ジャッキ設置台の上面の上方に位置するように前記ガイドレール固定部材に固定し、油圧ジャッキ設置台の側方のエレベータ昇降路の床面に油受け皿７を配設すると共に、ガイドレールから滴り落ちる潤滑油を受けて前記油受け皿へ誘導する油誘導路部材８を設けた。【選択図】図１
2008030869.tif 000002
【特許請求の範囲】
【請求項１】
エレベータ昇降路の床面に油圧ジャッキ設置台を形成し、前記油圧ジャッキ設置台上の略中央部にエレベータ籠を昇降させるための油圧ジャッキを設置すると共に、油圧ジャッキ設置台の側面に沿って該油圧ジャッキ設置台から上方に突出するようにガイドレール固定部材をエレベータ昇降路の床面に固定し、エレベータ籠の昇降をガイドするためのガイドレールをその下端部が油圧ジャッキ設置台の上面の上方に位置するように前記ガイドレール固定部材に固定し、油圧ジャッキ設置台の側方のエレベータ昇降路の床面に油受け皿を配設すると共に、油圧ジャッキ設置台上のガイドレールの下方の部分から油受け皿にかけてガイドレールから滴り落ちる潤滑油を受けて前記油受け皿へ誘導する油誘導路部材を設けて成ることを特徴とするエレベータのガイドレールの油受け装置。
【発明の詳細な説明】
【技術分野】
【０００１】
本発明は、エレベータのガイドレールの潤滑油を受けるための油受け装置に関するものである。
【背景技術】
【０００２】
従来より、エレベータ籠を油圧ジャッキで昇降させるエレベータが使用されている（例えば特許文献１参照）。これは、エレベータ昇降路の床面に、エレベータ籠を昇降させる油圧ジャッキを設置するための油圧ジャッキ設置台を形成し、前記油圧ジャッキ設置台上の略中央部に油圧ジャッキを設置し、油圧ジャッキの側方にエレベータ籠の昇降をガイドするためのガイドレールを配設したものである。
【０００３】
ガイドレールを固定するにあたっては、油圧ジャッキ設置台の側面に沿ってこの油圧ジャッキ設置台から上方に突出するようにガイドレール固定部材をエレベータ昇降路の床面に固定し、ガイドレールの下端部が油圧ジャッキ設置台の上面の上方に位置するように前記ガイドレール固定部材に固定するものである。
【０００４】
ところで、このようなエレベータにあっては、ガイドレールに潤滑油を供給するものであるが、この時、ガイドレールの下端部から潤滑油が滴り落ちるため、油受け皿を配設する必要がある。
【０００５】
しかしながら、油圧ジャッキ設置台上に油受け皿を配設するには、油圧ジャッキ設置台の上面とガイドレールの下端部との間隔が小さい場合には油圧ジャッキ設置台上に油受け皿を配設することができず、また、油圧ジャッキ設置台の上面とガイドレールの下端部との間に油受け皿を挿し入れて配設した場合には、油受け皿を側方に抜き出して取り出さなければならず、この時、油が零れないようにゆっくり側方に移動させなければならないものであり、また、大きな油受け皿を油圧ジャッキ設置台に配設すると不安定となるものであった。
【特許文献１】特開平７−３０９５５０号公報
【発明の開示】
【発明が解決しようとする課題】
【０００６】
本発明は上記の点に鑑みてなされたものであり、その目的とするところは、油圧ジャッキ設置台の上面に油受け皿を設置しなくてもガイドレールの下端部から落下する潤滑油を受けることができるエレベータのガイドレールの油受け装置を提供することにある。
【課題を解決するための手段】
【０００７】
上記課題を解決するために請求項１に係る発明にあっては、エレベータ昇降路の床面に油圧ジャッキ設置台を形成し、前記油圧ジャッキ設置台上の略中央部にエレベータ籠を昇降させるための油圧ジャッキを設置すると共に、油圧ジャッキ設置台の側面に沿って該油圧ジャッキ設置台から上方に突出するようにガイドレール固定部材をエレベータ昇降路の床面に固定し、エレベータ籠の昇降をガイドするためのガイドレールをその下端部が油圧ジャッキ設置台の上面の上方に位置するように前記ガイドレール固定部材に固定し、油圧ジャッキ設置台の側方のエレベータ昇降路の床面に油受け皿を配設すると共に、油圧ジャッキ設置台上のガイドレールの下方の部分から油受け皿にかけてガイドレールから滴り落ちる潤滑油を受けて前記油受け皿へ誘導する油誘導路部材を設けて成ることを特徴とするものである。
【０００８】
このような構成とすることで、ガイドレールの下端部から滴り落ちる潤滑油を油誘導部材によって受けて油受け皿に誘導することができて、ガイドレールの下端部の下方の油圧ジャッキ設置台の上面に油受け皿を設置しなくてもすむものである。
【発明の効果】
【０００９】
本発明にあっては、ガイドレールの下端部から滴り落ちる潤滑油を油誘導部材によって受けて油受け皿に誘導することができて、ガイドレールの下端部の下方の油圧ジャッキ設置台の上面に油受け皿を設置しなくてもよく、油圧ジャッキ設置台の上面とガイドレールの下端部との間隔が小さい場合でも対応することができ、また、油圧ジャッキ設置台の上面とガイドレールの下端部との間に油受け皿を挿し入れて配設した場合に油受け皿を側方に抜き出して取り出さなければないといった煩わしさがなく、また、大きな油受け皿を配設する場合でも油圧ジャッキ設置台に配設して不安定となるといったことがない。
【発明を実施するための最良の形態】
【００１０】
以下、本発明を添付図面に示す実施形態に基いて説明する。本発明のエレベータは、エレベータ籠を油圧ジャッキで昇降させている。
【００１１】
建物躯体のエレベータ設置箇所には、建物の上下方向の全長に亙るようにエレベータ昇降路が設けられるが、地面に設けた基礎上にエレベータ用骨組を立設することによりエレベータ昇降路が形成される。このエレベータ昇降路にはエレベータ籠が上下に昇降自在に内装されており、エレベータ籠が上下に昇降して各階で停止するようになっている。本例の場合、一階と二階に停止するようになっている。
【００１２】
エレベータ籠は、籠支持部材にて支持されて上下に昇降するようになっている。この籠支持部材は略Ｌ字状に形成されており、この上にエレベータ籠の底面を載設して固定してある。この籠支持部材は昇降手段としての油圧ジャッキにて上下に昇降するようになっており、籠支持部材と一緒にエレベータ籠が上下に昇降するようになっている。エレベータ昇降路には籠支持部材と一緒にエレベータ籠が上下に昇降するようになっているが、籠支持部材の縦支持部の両側に対応する位置で上下全長に亙って後述するガイドレールを立設してあり、籠支持部材の縦支持部の両側にはガイド溝（図示せず）を設けてあり、ガイド溝をガイドレールに摺動自在に嵌合することで籠支持部材の昇降をガイドしている。この一対のガイドレールは基礎上に立設されるが、ガイドレールの上下方向の適所をブラケットにて支持してある。
【００１３】
この一対のガイドレール間に配置される油圧ジャッキは上下に伸縮自在な伸縮ロッド状に形成されており、油圧装置を駆動することで油圧ジャッキを上下に伸縮させることができるようになっている。この油圧ジャッキの上端を籠支持部材の縦支持部に連結してあり、油圧ジャッキの伸縮にて籠支持部材を介してエレベータ籠を上下に昇降させるようになっている。上記油圧ジャッキは基礎の上に立設されるが、油圧ジャッキの上下方向の適所をブラケットにて支持してある。図中の符号９３はエレベータ籠の内扉、９４及び９５はそれぞれ一階及び二階の出入口である。
【００１４】
そして、エレベータ昇降路の床面には、エレベータ籠を昇降させる油圧ジャッキを設置するための油圧ジャッキ設置台を形成してある。油圧ジャッキ設置台は、平面視においてエレベータ籠の一側辺に沿った細長い形状をしており、このその中央部に油圧ジャッキが設置される。
【００１５】
油圧ジャッキは、上下に伸縮自在な伸縮ロッド状に形成されており、油圧装置（図示せず）を駆動することで油圧ジャッキを上下に伸縮させることができるようになっている。この油圧ジャッキの上端を籠支持部材に連結してあり、油圧ジャッキの伸縮にて籠支持部材を介してエレベータ籠を上下に昇降させるようになっている。
【００１６】
そして、油圧ジャッキの側方、すなわち本実施形態では油圧ジャッキ設置台の長手方向の両側に、エレベータ籠の昇降をガイドするためのガイドレールを配設する。
【００１７】
ガイドレールを固定するにあたっては、油圧ジャッキ設置台の側面、すなわち本実施形態では油圧ジャッキ設置台の長手方向の側面に沿って、この油圧ジャッキ設置台から上方に突出するようにガイドレール固定部材を設けるものである。ガイドレール固定部材はエレベータ昇降路の床面に固定される。
【００１８】
そしてこのガイドレール固定部材にガイドレールが固定されるのであるが、これにあたり、ガイドレールの下端部が油圧ジャッキ設置台の上面の上方に位置するように、油圧ジャッキ設置台の上面に設けたスペーサブロックの上面にガイドレールの下端部が載置した状態でガイドレール固定部材に固定する。
【００１９】
そして、ガイドレールの下端部から滴り落ちる潤滑油を受ける油受け皿を配設する。油受け皿は、油圧ジャッキ設置台上に配設するとスペースがないため、油圧ジャッキ設置台の側方のエレベータ昇降路の床面に設置される。そして、ガイドレールから滴り落ちる潤滑油を受けて前記油受け皿へ誘導する油誘導路部材を設けるものである。
【００２０】
この油誘導路部材は、油圧ジャッキ設置台上のガイドレールの下方の部分から油受け皿にかけて配設されるもので、後述する載置係止片と、底上げ片と、油誘導片と、起立側片と、係止片と、からなる。載置係止片は、側面視略逆Ｌ字状をしたもので、油圧ジャッキ設置台の短手方向の側面及び上面に被さるように載置される。そして、この縦片が油圧ジャッキ設置台の前記側面に当接してそれ以上の側方への移動が規制される。載置係止片の上横片の端部からは、底上げ片が立設されると共に、この底上げ片の上端部からは油誘導片が連設される。油誘導片は、底上げ片の上端部に連設している端部が最も上方に位置し、もう一方の端部が最も下方に位置するように傾斜した平板状のもので、この上面が潤滑油の誘導路面となる。すなわち、油誘導片の高い側の端部付近をガイドレールの下端部の下方に位置させ、油誘導片の低い側の端部を油受け皿の上方に位置させることで、ガイドレールから滴り落ちた潤滑油が油誘導片の高い側の端部付近の上面で受けられ、傾斜した油誘導片を下方へ流下して、低い側の端部から油受け皿へと落下して溜まる。油誘導片の傾斜方向と交差する方向の端部には、油誘導片上を流れる潤滑油が側方から零れ落ちないようにする起立片が設けてある。
【００２１】
また、油誘導片の途中には、載置係止片が当接している油圧ジャッキ設置台の側面と反対側の側面に当接するように、コ字状に切れ目を入れて下方に折り曲げた係止片が垂下してある。これにより、載置係止片と係止片とがそれぞれ油圧ジャッキ設置台の両側面に当接して、油誘導部材が油圧ジャッキ設置台から外れるのを防止することができる。
【００２２】
以上のような構成によれば、ガイドレールの下端部から滴り落ちる潤滑油を油誘導部材によって受けて油受け皿に誘導することができて、ガイドレールの下端部の下方の油圧ジャッキ設置台の上面に油受け皿を設置しなくてもよく、油圧ジャッキ設置台の上面とガイドレールの下端部との間隔が小さい場合でも対応することができ、また、油圧ジャッキ設置台の上面とガイドレールの下端部との間に油受け皿を挿し入れて配設した場合に油受け皿を側方に抜き出して取り出さなければないといった煩わしさがなく、また、大きな油受け皿を配設する場合でも油圧ジャッキ設置台に配設して不安定となるといったことがないものである。
【図面の簡単な説明】
【００２３】
【図１】本発明の要部を示し、（ａ）は平面図であり、（ｂ）は正面図であり、（ｃ）は側面図である。
【図２】油誘導路部材の斜視図である。
【図３】エレベータの概略構成断面図である。
【符号の説明】
【００２４】
２  エレベータ昇降路
３  油圧ジャッキ設置台
４  エレベータ籠
５  油圧ジャッキ
６  ガイドレール
７  油受け皿
８  油誘導路部材
【図１】
2008030869.tif 000003
【図２】
2008030869.tif 000004
【図３】
2008030869.tif 000005